(57)【要約】      （修正有）【課題】ティーの高低を、規格が異なるティーをゴルファーが一々取り替えなくてもゴルファーが任意に高さを調節できるようにしたゴルフボール供給装置を提供する。【解決手段】出没孔２１ａの下部の左右側にはガイド棒２４が天底板２１、２２の間に固定され、ガイド棒２４には上下昇降する昇降台２５が遊挿され、昇降台２５の上部にはティー３０が取り付けられ、昇降台２５の後側における天板２１と底板２２の間の内側に歯車が形成され、底板２２の一方側にステッピングモーター２７が形成されてその軸に動力歯車２８が形成され、動力歯車２８、歯車がタイミングベルト２９により連結され、タイミングベルト２９が昇降台２５の一方側に固定され、供給部１０の排出口から排出されるゴルフボールが調節部２０のティー３０の上に供給されるように構成される。【選択図】図１
0003172113.tif 000002
【実用新案登録請求の範囲】
【請求項１】
本体（１）の内部にゴルフボール（４０）を供給する供給部（１０）と、ティー（３０）の高低を調節する調節部（２０）と、から構成され、前記供給部（１０）には、ゴルフボール（４０）が通る通路（１１ａ）が形成され、通路（１１ａ）の両端には流入口（１２）と排出口（１３）が形成され、両壁面に遊動軸穴（１１ｂ）が形成された胴体（１１）を有し、胴体（１１）の遊動軸穴（１１ｂ）の間にはプーリー（１４）が嵌着され、胴体（１１）の遊動軸穴（１１ｂ）の両外側に軸受け（１５ａ）付き遊動板（１５）がそれぞれ形成され、遊動板（１５）の一方側は軸ピン（１６）により胴体（１１）に取り付けられ、遊動板（１５）の他方側は胴体（１１）に取り付けられたばね（１７）が連結されて、軸ピン（１６）を中心として遊動板（１５）とプーリー（１４）が回動するように構成され、供給モーター（１８）の軸（１８ａ）が軸受け（１５ａ）とプーリー（１４）に係合されて供給モーター（１８）の駆動によりプーリー（１４）が回転するように構成され、前記調節部（２０）は、ティー（３０）の出没孔（２１ａ）が形成された天板（２１）と底板（２２）を保持棒（２３）により固設し、出没孔（２１ａ）の下部の左右側にはガイド棒（２４）が天板（２１）と底板（２２）の間に固定され、ガイド棒（２４）には上下昇降可能な昇降台（２５）が遊挿され、昇降台（２５）の上部にはティー（３０）が取り付けられ、昇降台（２５）の後側における天板（２１）と底板（２２）の内側に歯車（２６ａ，２６ｂ）が形成され、底板（２２）の一方側にステッピングモーター（２７）が形成されてその軸に動力歯車（２８）が形成され、動力歯車（２８）、歯車（２６ａ，２６ｂ）がタイミングベルト（２９）により連結され、タイミングベルト（２９）が昇降台（２５）の一方側に固定され、前記供給部（１０）の排出口（１３）から排出されるゴルフボール（４０）が前記調節部（２０）のティー（３０）の上に供給されるように構成されることを特徴とするゴルフボール供給装置。
【考案の詳細な説明】
【技術分野】
【０００１】
本考案はゴルフボール供給装置に係り、さらに詳しくは、ゴルフ練習場などでゴルフ練習をするときに、ゴルフボールをインドアゴルフ練習場などに自動的に供給し、ティー(tee)の高低をゴルファーの体格や姿勢などによって調節して規格が異なるティーをゴルファーが一々取り替えなくてもゴルファーが任意に高さを調節できるようにし、ゴルファーが自らゴルフボールをゴルフボール供給装置に供給するといった不都合を払拭するとともにゴルフボール供給のための人件費などを削減できるようにしたゴルフボール供給装置に関する。
【背景技術】
【０００２】
一般に、ゴルフ練習場では、打球されたボールを作業者が自ら一々回収してゴルファーに配給するか、作業者が回収したボールをゴルフボール配給装置の保管ボックスに投入して配給する半自動配給装置や、コインによるボールカゴの自動配給装置などがあるが、これらは、手作業による人手の無駄使いが問題視され、しかも、安全性および清潔性の面でも問題があった。また、ゴルフボール配給装置を使用する場合には作業者が手作業によりボールを回収してゴルフボール配給装置に入れる必要があり、コインによるボールカゴの配給方法は作業が面倒であるという問題があった。
また、上記の問題点を改善して、打球されたゴルフボールを集めて水平または垂直の搬送コンベヤにより回収して集めて各打席に位置しているゴルフボール配給装置にボールを配給する装置も開発されているが、これらの装置は、集めたボールを打席の上に位置している集球装置から、各階に位置している各打席のゴルフボール配給装置へとボールを搬送する水平搬送コンベヤにより分配する過程で、ボールの落下圧力を制御する装置がなくて、多大な騒音が発生し、ボールが破損され、落下ボールを受け止めた個所に損傷をもたらし、打席の下部に埋設された水平搬送装置からゴルフボール配給装置へとボールを搬送する過程が円滑ではないため機械作動がスムーズに行われない結果、頻繁に故障が発生するなどの問題点が多かった。
【０００３】
さらに、これらの従来の装置は、ゴルフ練習場などでゴルフ練習をするときに、ゴルファーの姿勢や身長によってゴルフボールを載せるティーの高さを調節しなければ効率よくスイングを試みることができないことや、その度にゴルファーが自らそれぞれ高さが異なる規格のティーに取り替えなければならなかったため極めて面倒であったことが欠点として挙げられる。また、ゴルフボールの自動配給器によりゴルフボールをティーの上に載せる（ティーアップさせる）場合には、ティーの高さの調節に際して、ティーとゴルフボール配給器のゴルフボールセットアームとの間の高さ間隔が大きくなって、ゴルフボールの配給時にティーにボールが載らない結果、ティーの高さ調節が事実上不可能であるという欠点があった。
【考案の概要】
【考案が解決しようとする課題】
【０００４】
本考案は上記事情に鑑みてなされたものであり、その目的は、ゴルフ練習場などでゴルフ練習をするときに、ゴルフボールをインドアゴルフ練習場などに自動的に供給し、ティーの高低をゴルファーの体格や姿勢などによって調節して規格が異なるティーをゴルファーが一々取り替えなくてもゴルファーが任意に高さを調節できるようにし、ゴルファーが自らゴルフボールをゴルフボール供給装置に供給するといった不都合を払拭するとともにゴルフボール供給のための人件費などを削減できるようにしたゴルフボール供給装置を提供するところにある。
【課題を解決するための手段】
【０００５】
上記の目的を達成するために、本考案のゴルフボール供給装置は、本体１の内部にゴルフボール４０を供給する供給部１０と、ティー３０の高低を調節する調節部２０と、から構成され、前記供給部１０にはゴルフボール４０が通る通路１１ａが形成され、通路１１ａの両端には流入口１２と排出口１３が形成され、両壁面には遊動軸穴１１ｂを有する胴体１１が形成され、胴体１１の遊動軸穴１１ｂの間にはプーリー１４が嵌着され、胴体１１の遊動軸穴１１ｂの両外側には軸受け１５ａ付き遊動板１５がそれぞれ形成され、遊動板１５の一方側は胴体１１に軸ピン１６により取り付けられ、遊動板１５の他方側には胴体１１に取り付けられたばね１７が連結されて軸ピン１６を中心として遊動板１５とプーリー１４が回動するように構成され、供給モーター１８の軸１８ａが軸受け１５ａとプーリー１４に係合されて供給モーター１８の駆動によりプーリー１４が回転するように構成され、前記調節部２０は、ティー３０の出没孔２１ａが穿設された天板２１と底板２２を保持棒２３により固設し、出没孔２１ａの下部の左右側にはガイド棒２４が天底板２１、２２の間に固定され、ガイド棒２４には上下昇降する昇降台２５が遊挿され、昇降台２５の上部にはティー３０が取り付けられ、昇降台２５の後側における天底板２１、２２の内側に歯車２６ａ、２６ｂが形成され、底板２２の一方側にステッピングモーター２７が形成されてその軸に動力歯車２８が形成され、動力歯車２８、歯車２６ａ、２６ｂがタイミングベルト２９により連結され、タイミングベルト２９が昇降台２５の一方側に固定され、前記供給部１０の排出口１３から排出されるゴルフボール４０が前記調節部２０のティー３０の上に供給されるように構成されることを特徴とする。
【考案の効果】
【０００６】
本考案に係るゴルフボール供給装置は、ゴルフ練習場で打球されたゴルフボールを回収し、ゴルファーが位置している練習場の指定打席のゴルフボール供給装置にゴルフボールを供給するあらゆる過程を完全に無人自動化させることにより、ゴルフ場の構造を改善して経費を節減し、且つ、煩雑な手作業による処理を簡素化して人手を節減し、ゴルフの練習時にゴルフボールを定位置で受け止めるティーの高低をゴルファーの身長および姿勢によって簡単な操作によりティーが上下動して精度よく調節することができていかなる条件のゴルファーの身長や姿勢などにも対応することができ、ゴルファーのスイング練習の効果を倍加することができ、構造が簡単であり、生産コストが安価であるというメリットがあるなど様々な効果を奏する有用な考案である。
【図面の簡単な説明】
【０００７】
【図１】図１は、本考案の一実施の形態を例示する内部が見える斜視図である。
【図２】図２は、本考案の一実施の形態を例示する供給部の分解斜視図である。
【図３】図３は、本考案の一実施の形態を例示する断面図である。
【図４】図４は、本考案の一実施の形態を例示する作動説明図である。
【図５】図５は、本考案の一実施の形態を例示する作動説明図である。
【図６】図６は、本考案の一実施の形態を例示する作動説明図である。
【考案を実施するための形態】
【０００８】
以下、添付図面に基づき、上記の目的を達成するための好適な実施の形態を詳述する。
【０００９】
図１から図４Cに示すように、本考案に係るゴルフボール供給装置は、本体１の内部における一方側にゴルフボール４０を供給する供給部１０を配設するとともに他方側にティー３０の高低を調節する調節部２０を配設して、供給部１０から排出されるゴルフボール４０が調節部２０のティー３０の上に供給されるように構成する。
【００１０】
前記供給部１０は、ゴルフボール４０が通る通路１１ａを形成し、前記通路１１ａの両端には流入口１２と排出口１３を形成し、両壁面に遊動軸穴１１ｂを形成してなる胴体２１を有する。
【００１１】
前記胴体１１の遊動軸穴１１ｂの間にはプーリー１４を嵌着し、胴体１１の遊動軸穴１１ｂの両外側に軸受け１５ａ付き遊動板１５をそれぞれ位置させ、遊動板１５の一方側は胴体１１に軸ピン１６により取設され、遊動板１５の他方側にはばね１７を連結し、ばね１７の他方端は胴体１１の一方側に連結して軸ピン１６を中心として遊動板１５とプーリー１４が回動するように構成する。
【００１２】
前記遊動板１５の軸受け１５ａとプーリー１４は、遊動板１５の一方側に取り付ける供給モーター１８の軸１８ａに嵌着されて供給モーター１８の駆動によりプーリー１４が回転するように構成する。
前記調節部２０は、底板２２に保持棒２３を設け、保持棒２３の上端に天板２１を固定する。
前記天板１０には、一方側にティー３０が出没可能な出没孔２１ａを形成する。
前記天板２１と底板２２との間のティー３０の出没孔２１ａの下部左右側には、ガイド棒２４が設けられ、天板２１と底板２２に固定される。
前記ガイド棒２４には、昇降台２５が差し込まれ、ガイド棒２４の間において昇降可能に構成されている。
【００１３】
前記昇降台２５の上部には、ゴム材質のティー３０を固定する。なお、ティー３０の下には、ティー３０の上にゴルフボール４０があるか否かをチェックするセンサー（図示せず）を設ける。
前記昇降台２５の後側の天底板２１、２２には、内側に歯車２６ａ、２６ｂが形成され、底板２２の一方側にステッピングモーター２７を取り付ける。
【００１４】
前記ステッピングモーター２７の軸に動力歯車２８を形成して、前記動力歯車２８、歯車２６ａ、２６ｂをタイミングベルト２９により連結し、前記タイミングベルト２９を前記昇降台２５の一方側に固定する。
【００１５】
前記供給部１０の流入口１２は本体１の一方側の下部の流入孔１ａに連通し、供給部１０の排出口１３から排出されるゴルフボール４０が前記調節部２０のティー３０の上に供給されるように構成する。
上記の構成を有する本考案のゴルフボール供給装置の作用効果を説明すれば、下記の通りである。
【００１６】
まず、本考案の装置を室内ゴルフ練習場などに設置するときには、練習場のティー３０が位置する個所の底面に本体１の広さと高さに見合う分だけの凹陥部を形成してその底面に本考案の装置を固設し、電気結線を行った後、出没孔２１ａを除いて上部にマットなどを敷き、本体１の一方側には打球されたゴルフボール４０が集まって供給されるゴルフボール４０の供給路などを設け、供給路の一方の先端には本体１の流入孔１ａが位置するように設けることにより、ゴルフボール供給装置の設置が完了する。
【００１７】
本考案の装置を用いてゴルフ練習をするときには、まず、ゴルファーがコントローラ（図示せず）を作動させて所望のティー３０の高さを決定すれば、コントローラはステッピングモーター２７を作動させて動力歯車２８を回転させる。
【００１８】
動力歯車２８の回転力は歯車２６ａ、２６ｂとタイミングベルト２９を介して昇降台２５に伝わり、このとき、歯車２６ａ、２６ｂとガイド棒２４によりタイミングベルト２９の回転力は昇降力に切り替わって昇降台２５がガイド棒２４に沿って昇降する。
【００１９】
これにより、昇降台２５が昇降して最頂点まで達すれば、リードスイッチなどの作動スイッチ（図示せず）が作動してステッピングモーター２７が停止し、さらにステッピングモーター２７が逆転して昇降台２５が下降するが、このとき、ゴルファーは、所望の高さにティー３０が位置すればコントローラを作動させてステッピングモーター２７を停止して昇降台２５を止め、コントローラは昇降台２５の高さを記憶する。
【００２０】
ゴルファーがティー３０を所望の高さに調節して本考案の装置を作動させれば、供給モーター１８が作動してプーリー１４が回転する。プーリー１４が回転しているときに供給路から供給されるゴルフボール４０は流入孔１ａと流入口１２を介してプーリー１４に向かって供給される。
【００２１】
プーリー１４に向かって供給されるゴルフボール４０は、その供給力によりプーリー１４を僅かに押し、その押し力により軸ピン１６を中心としてプーリー１４、遊動板１５および供給モーター１８が遊動軸穴１１ｂに沿って回動してプーリー１４、遊動板１５および供給モーター１８が僅かに上昇し、プーリー１４の回転力によりゴルフボール４０を胴体１１の通路１１ａに沿ってプーリー１４の上方に押し上げる。
このようにして押し上げられたゴルフボール４０は排出口１３を介して排出されて排出口１３の下部で待機している調節部２０のティー３０の上に供給される。
【００２２】
ティー３０がゴルフボール４０を供給されれば、ティー３０の下のセンサーがゴルフボール４０を感知してステッピングモーター２７を作動させ、供給モーター１８の作動を中止させる。
供給モーター１８の作動が中止すれば、ばね１７の張力によりプーリー１４、遊動板１５および供給モーター１８が元の位置に戻る。
【００２３】
これと同時にステッピングモーター２７が作動して昇降台２５が昇降され、このとき、コントローラは、ゴルファーにより設定された高さでステッピングモーター２７の回転を止めることで昇降台２５の昇降が停止し、ゴルファーが目的とする高さにゴルフボール４０が位置することとなる。
【００２４】
ゴルファーがゴルフボール４０を打ち出してティー３０にゴルフボール４０がなければ、センサーがこれを感知してステッピングモーター２７を作動させて昇降台２５を下降させ、昇降台２５の下降と同時に供給モーター１８が作動してゴルフボール４０をティー３０に供給する。
【００２５】
このように、本考案によれば、ゴルフボール４０をゴルフボール供給装置に自動的に供給するので、ゴルファーが直接的にゴルフボール４０を供給する必要がなくなり、ゴルフ練習場もゴルフボール４０の供給のための人手を節減することができる。
【００２６】
以上では本考案の好適な実施形態について図示し且つ説明したが、本考案は前記実施形態に限定されず、請求の範囲で請求する本考案の要旨を逸脱することなく当該考案が属する分野において通常の知識を有する者であれば誰でも多様な変形実施が可能であることは勿論であり、そのような変形は請求の範囲に記載の範囲内にあるものとなる。
【符号の説明】
【００２７】
１：本体
１ａ：流入孔
１０：供給部
１１：胴体
１１ａ：通路
１１ｂ：遊動軸穴
１２：流入口
１３：排出口
１４：プーリー
１５：遊動板
１５ａ：軸受け
１６：軸ピン
１７：ばね
１８：モーター
１８ａ：軸
２０：調節部
２１：天板
２１ａ：出没孔
２２：底板
２３：保持棒
２４：ガイド棒
２５：昇降台
２６ａ、２６ｂ：歯車
２７：ステッピングモーター
２８：動力歯車
２９：タイミングベルト
３０：ティー
４０：ゴルフボール
【図１】
0003172113.tif 000003
【図２】
0003172113.tif 000004
【図３】
0003172113.tif 000005
【図４】
0003172113.tif 000006
【図５】
0003172113.tif 000007
【図６】
0003172113.tif 000008